(57)【要約】【課題】効率的で汎用性の高い手術室環境を形成可能な手術室システムおよびその手術室システムを構成する空気調和機を提供する。【解決手段】空気調和機と、柱部材と、エアスタビライザ付きレールユニットとを有する手術室システムにおいて、エアスタビライザ付きレールユニットは、エアスタビライザパネルと、レールパッケージとを有している。レールパッケージは手術室の床面に対向した部分が開口されているレールカバーと、レールカバーの内側に固定されているガイドレールおよびガイドレールに沿って移動するスライド部材とを有している。【選択図】図３
2020054607.tif 000002
【特許請求の範囲】
【請求項１】
手術室の室内天井の裏に埋設され、かつＨＥＰＡフィルタが内装されている空気調和機と、該空気調和機の外側に天吊りされている少なくとも２つの柱部材と、該柱部材に固定されているエアスタビライザ付きレールユニットとを有する手術室システムであって、
前記エアスタビライザ付きレールユニットは、無色透明の部材からなり、かつ前記空気調和機の外側の前記室内天井に固定されているエアスタビライザパネルと、該エアスタビライザパネルよりも前記室内天井から離れた位置に配置されているレールパッケージとを有し、
該レールパッケージは、前記柱部材に両端部が固定され、かつ前記手術室の床面に対向した部分が開口されているレールカバーと、該レールカバーの内側に固定されているガイドレールおよび該ガイドレールに沿って移動するスライド部材とを有する手術室システム。
【請求項２】
前記手術室で使用される医療設備の電源または医療ガスのアウトレットを備えたレール可動式のエネルギー供給装置が前記レールパッケージの前記スライド部材に固定され、
前記エアスタビライザ付きレールユニットが、前記エアスタビライザパネルおよび前記レールパッケージを接続する接続パネルを更に有する請求項１記載の手術室システム。
【請求項３】
前記柱部材および前記エアスタビライザ付きレールユニットが前記空気調和機の外側に４つ配置され、かつ該４つの前記柱部材およびエアスタビライザ付きレールユニットが前記空気調和機を取り囲むように配置されている請求項１または２記載の手術室システム。
【請求項４】
前記空気調和機は、外気を導入するファンモータが配置されている第１のユニットと、前記ＨＥＰＡフィルタが内装され、かつ該第１のユニットに隣接して設けられている第２のユニットと、該第１のユニットから清浄空気を吹き出す第１の吹出口と、該第２のユニットから清浄空気を吹き出す第２の吹出口とを有し、前記第１の吹出口の近傍に配置されている第１のＬＥＤ照明装置と、前記第２の吹出口の近傍に配置されている第２のＬＥＤ照明装置とを更に有する請求項１記載の手術室システム。
【請求項５】
前記空気調和機は、前記ＨＥＰＡフィルタを通過した清浄空気を前記第２のユニットから前記第１のユニットに導入するエアーガイドを更に有する請求項４記載の手術室システム。
【請求項６】
前記空気調和機が前記室内天井の裏に４つ埋設され、それぞれの前記空気調和機が、異なる４方向から前記外気が導入されるように配置されている請求項１〜５のいずれか一項記載の手術室システム。
【請求項７】
手術室の室内天井の裏に埋設される空気調和機であって、
外気を導入するファンモータが配置されている第１のユニットと、ＨＥＰＡフィルタが内装され、かつ該第１のユニットに隣接して設けられている第２のユニットと、
該第１のユニットから清浄空気を吹き出す第１の吹出口と、
該第２のユニットから清浄空気を吹き出す第２の吹出口と、
前記第１の吹出口の近傍に配置されている第１のＬＥＤ照明装置と、
前記第２の吹出口の近傍に配置されている第２のＬＥＤ照明装置と、
前記ＨＥＰＡフィルタを通過した清浄空気を前記第２のユニットから前記第１のユニットに導入するエアーガイドとを有する空気調和機。
【発明の詳細な説明】
【技術分野】
【０００１】
本発明は、空気調和機、照明装置、電源や医療用ガスのアウトレット、シーリングペンダントといった医療設備に関する手術室システムおよびその手術室システムを構成する空気調和機に関する。
【背景技術】
【０００２】
従来、手術室には、空気調和機（空調機ともいう）が設置されている。空気調和機は、手術台の上方の天井に設置されている。清浄な空気がその吹出口から手術台に向けて吹き出されて手術室の快適な環境が形成されている。従来、この種の空気調和機に関して、例えば、特許文献１には、次のような空調システムが開示されている。この空調システムは、天井から手術台に向かって第１の温度の清浄空気を第１の速度で吹き出す第１の空調部と、手術台の周囲に向かって第１の温度よりも低い第２の温度の清浄空気を第１の速度よりも小さい第２の速度で吹き出す第２の空調部とを備えている。また、特許文献２には次のような手術室空調システムが開示されている。この手術室空調システムは室温よりも高温の空気を手術台に向かって吹き出す第１の吹出口と、室温よりも低温の空気を手術台の周囲に向かって吹き出す第２の吹出口とを備えている。
【０００３】
一方、手術室には、空気調和機の他に照明装置、電源や医療用ガスのアウトレット、シーリングペンダントなどの医療設備が備えられることがある。この種の医療設備に関して、例えば、特許文献３には、ＬＥＤ素子の発熱が放熱板によって放熱され、それにより、手術室における着衣者に暑熱感を与えないようにした照明器具が開示されている。また、特許文献４には、手術室内のシーリングペンダントや空気清浄用パネル等の配置が簡易に変更される可変型手術室が開示されている。
【先行技術文献】
【特許文献】
【０００４】
【特許文献１】特開２０１６−９５０９８号公報
【特許文献２】特開２０１３−１４８２４１号公報
【特許文献３】特開２０１７−２０８３１８号公報
【特許文献４】特開２０１５−１７１４２１号公報
【特許文献５】実願昭６１−１２６０８６号（実開昭６３−３２５２５号）のマイクロフィルム
【非特許文献】
【０００５】
【非特許文献１】大園健二、最新手術用シーリングサプライユニット「オペラ」の有用性  New ceiling supply unit in the operating room "Opera", 月刊新医療7月号、日本、（株）エム・イー振興協会、2014年７月１日、第41巻、第7号、92-95
【発明の概要】
【発明が解決しようとする課題】
【０００６】
前述したように、手術室には、空気調和機、照明装置、電源や医療用ガスのアウトレット、シーリングペンダントといった様々な医療設備が備えられる。そして、従来、これらの医療設備が体系的（systematic）に備えられた手術室システムも知られていた（例えば、特許文献５、非特許文献１参照）。
【０００７】
これらの手術室システムでは、空気調和機を取り囲む部材（エアスタビライザともいう）が設置されている。そのため、空気調和機から吹き出される清浄な下降層流に塵埃が混入することがなく、これによって、手術台上に従来よりも大きな清潔エリアが確保されている。また、電源や医療用ガスのアウトレットがエアスタビライザに設けられているため、床面の電源コードやガス管などが無くなり、これによって、手術室における作業の安全性や効率性が確保されている。
【０００８】
しかしながら、上記従来の手術室システムでは、電源や医療用ガスのアウトレットのエアスタビライザ上での位置が固定されている。そのため、上記従来の手術室システムが手術室に設けられた後、手術室内の医療設備や医療スタッフの配置を変更する必要等が生じたときには、その変更後の状況に応じて電源コードや医療ガスの配管を伸ばしたり、引き回す必要が生じる。そのため、上記従来の手術室システムでは、作業の効率性が高くて汎用性も高い手術室環境を形成することができなかった。
【０００９】
本発明は、上記課題を解決するためになされたもので、作業の効率性が高くて汎用性も高い手術室環境を形成可能な手術室システムおよびその手術室システムを構成する空気調和機を提供することを目的とする。
【課題を解決するための手段】
【００１０】
上記課題を解決するため、本発明は、手術室の室内天井の裏に埋設され、かつＨＥＰＡフィルタが内装されている空気調和機と、その空気調和機の外側に天吊りされている少なくとも２つの柱部材と、その柱部材に固定されているエアスタビライザ付きレールユニットとを有する手術室システムであって、エアスタビライザ付きレールユニットは、無色透明の部材からなり、かつ空気調和機の外側の室内天井に固定されているエアスタビライザパネルと、そのエアスタビライザパネルよりも室内天井から離れた位置に配置されているレールパッケージとを有し、そのレールパッケージは、柱部材に両端部が固定され、かつ手術室の床面に対向した部分が開口されているレールカバーと、そのレールカバーの内側に固定されているガイドレールおよびそのガイドレールに沿って移動するスライド部材とを有する手術室システムを提供する。
【００１１】
上記手術室システムの場合、手術室で使用される医療設備の電源または医療ガスのアウトレットを備えたレール可動式のエネルギー供給装置がレールパッケージのスライド部材に固定され、エアスタビライザ付きレールユニットが、エアスタビライザパネルおよびレールパッケージを接続する接続パネルを更に有することが好ましい。
【００１２】
また、柱部材およびエアスタビライザ付きレールユニットが空気調和機の外側に４つ配置され、かつその４つの柱部材およびエアスタビライザ付きレールユニットが空気調和機を取り囲むように配置されていることが好ましい。
【００１３】
さらに、空気調和機は、外気を導入するファンモータが配置されている第１のユニットと、ＨＥＰＡフィルタが内装され、かつその第１のユニットに隣接して設けられている第２のユニットと、その第１のユニットから清浄空気を吹き出す第１の吹出口と、その第２のユニットから清浄空気を吹き出す第２の吹出口とを有し、第１の吹出口の近傍に配置されている第１のＬＥＤ照明装置と、第２の吹出口の近傍に配置されている第２のＬＥＤ照明装置とを更に有することが好ましい。
【００１４】
また、空気調和機は、ＨＥＰＡフィルタを通過した清浄空気を第２のユニットから第１のユニットに導入するエアーガイドを更に有するようにすることもできる。
【００１５】
空気調和機が室内天井の裏に４つ埋設され、それぞれの空気調和機が、異なる４方向から外気が導入されるように配置されているようにすることもできる。
【００１６】
そして、本発明は、手術室の室内天井の裏に埋設される空気調和機であって、外気を導入するファンモータが配置されている第１のユニットと、ＨＥＰＡフィルタが内装され、かつその第１のユニットに隣接して設けられている第２のユニットと、その第１のユニットから清浄空気を吹き出す第１の吹出口と、その第２のユニットから清浄空気を吹き出す第２の吹出口と、第１の吹出口の近傍に配置されている第１のＬＥＤ照明装置と、第２の吹出口の近傍に配置されている第２のＬＥＤ照明装置と、ＨＥＰＡフィルタを通過した清浄空気を第２のユニットから第１のユニットに導入するエアーガイドとを有する空気調和機を提供する。
【発明の効果】
【００１７】
以上詳述したように、本発明によれば、作業の効率性が高くて汎用性も高い手術室環境を形成可能な手術室システムおよびその手術室システムを構成する空気調和機が得られる。
【図面の簡単な説明】
【００１８】
【図１】本発明の実施の形態に係る手術室システムの概略構成を示した側面図である。
【図２】本発明の実施の形態に係る手術室システムを構成するレールシステムおよび空気調和機の第１、第２の吹出口を示す斜視図である。
【図３】本発明の実施の形態に係る手術室システムが設置されている手術室を示す斜視図である。
【図４】レールユニットおよび柱部材の側面図である。
【図５】レールユニットのレールパッケージおよび柱部材を床面側からみた一部省略した平面図である。
【図６】図５のレールパッケージの６−６線断面図である。
【図７】レールパッケージを構成するガイドレールおよびスライド部材を示す斜視図である。
【図８】レールユニットの図４とは別方向からみた側面図である。
【図９】空気調和機を示す断面図である。
【図１０】空調機システムを示す平面図である。
【図１１】変形例に係るレールパッケージの図６に対応した断面図である。
【図１２】変形例に係るレールシステムの床面側からみた平面図で、（Ａ）はＬ字パターン，（Ｂ）は平行ラインパターンをそれぞれ示す平面図である。
【発明を実施するための形態】
【００１９】
本発明の実施の形態に係る手術室システム１００について、図１〜図３を参照して説明する。図１は、本発明の実施の形態に係る手術室システム１００の概略構成を示した側面図である。図２は、手術室システム１００を構成するレールシステム２２および空気調和機６１の第１、第２の吹出口６５、６９を示す斜視図、図３は、手術室１１を示す斜視図である。
【００２０】
本発明の実施の形態に係る手術室システム１００では、手術室１１における手術台１９の上部の室内天井１４に、４台の空気調和機６１からなる後述する空調機システム１が埋設されている。そして、各空気調和機６１の第１、第２の吹出口６５、６９が天井１４に配置され、第１、第２の吹出口６５、６９の近傍にそれぞれ複数の第１、第２のＬＥＤ照明装置６４，６７が配置されている。このような構成によって、手術室システム１００では、手術台１９に必要な照度の照明が手術台１９の上部に確保されている。
【００２１】
そして、空調機システム１の外枠の四隅にそれぞれ高さの伸長できる４つの柱部材２１が天井１４から床面１３の方向に天吊り設置されている。また、図４に示すように、４つの柱部材２１のうちの２つに、エアスタビライザ付きレールユニット（以下「レールユニット」ともいう）４０が固定されている。図２に示すように、その４つのレールユニット４０と４つの柱部材２１とによって、レールシステム２２が構成されている。レールシステム２２は、４台の空気調和機６１（空調機システム１）を４方向から取り囲むように配置されている。
【００２２】
レールユニット４０は、図４、図８に示すように、エアスタビライザパネル４１と、エアスタビライザパネル４１よりも天井１４から離れた位置に配置されているレールパッケージ４２と、エアスタビライザパネル４１およびレールパッケージ４２を接続する接続パネル４３とを有している。
【００２３】
エアスタビライザパネル４１は、ガラス、アクリルパネル等の無色透明の部材からなる長尺板状の部材であって、空気調和機６１（空調機システム１）の外側の天井１４に固定されている
【００２４】
レールパッケージ４２は、図６〜図７に示すように、レールカバー５０と、レールカバー５０の内側に固定されているガイドレール５１と、ガイドレール５１に沿って移動するスライド部材５２とを有している。
【００２５】
レールカバー５０は、断面が概ねＣ字状に形成されている真っすぐな部材であって、長さ方向の両端部が柱部材２１に固定されている。レールカバー５０は、手術室１４の床面１３に対向した部分が開口部５０ａとして開口され、その開口部５０ａが床面１３に対向するように柱部材２１に固定されている。
【００２６】
レールカバー５０の内側の、対向している垂直側面５０ｂ、５０ｃのうちの一方の垂直側面５０ｂにガイドレール５１が固定されている。ガイドレール５１は、図７に示すように、レールカバー５０に固定されている長尺平板状のベース部５１ａの上側、下側（天井１４側、床面１３側）に折曲部５１ｂ、５１ｃが形成されている。
【００２７】
スライド部材５２は、矩形板状のベース部５２ａと、ベース部５２ａに回転可能に装着されている３つのローラ部材５３ａ、５３ｂ、５３ｃとを有している。スライド部材５２は、ガイドレール５１に沿って、図７の矢印方向（床面１３に沿った水平方向に）にスライド移動する。この場合、スライド部材５２では、ローラ部材５３ａ、５３ｂ、５３ｃがガイドレール５１の折曲部５１ｂ、５１ｃによって支持されながら回転する。
【００２８】
このスライド部材５２には、シーリングペンダント１５、モニタ１６、手術室１１内で使用される医療設備(以下「ＭＥ設備」ともいう)１７、エネルギー供給装置２３などを固定することができる。例えば、図６に示すように、スライド部材５２には、後述するエネルギー供給装置２３の後述するアーム部２３ａが固定される。シーリングペンダント１５がスライド部材５２に固定されることによって、シーリングペンダント１５がレール可動式となる。エネルギー供給装置２３がスライド部材５２に固定された場合も、エネルギー供給装置２３がレール可動式となる。
【００２９】
そして、エネルギー供給装置２３は、スライド部材５２に固定されるアーム部２３ａと、アーム部２３ａを介してレールユニット４０の下側に配置される本体部２３ｂとを有している。本体部２３ｂは、箱状の部材であって、電源のアウトレット（電源コンセント）９や、医療ガスのアウトレット１０が外側面に備えられている。
【００３０】
次に、図９、図１０を参照して、空気調和機６１および空調機システム１について説明する。図９は、空気調和機６１を示す断面図、図１０は空調機システム１を示す平面図である。空気調和機６１は、図９に示すように、第１のユニット６１Ａと、第２のユニット６１Ｂとを有し、これらが連結されて一体化されている。第１のユニット６１Ａは、外気ａ１を導入するファンモータ６２と熱交換ユニット６１ｈとが収容されている。第１のユニット６１Ａは、そのファンモータ６２と熱交換ユニット６１ｈとが収容されているモータ室６１ｄと、それに隣接する第１の後室６１ｅとを有していて、第１の後室６１ｅが天井１４に臨むように配置されている。
【００３１】
そして、モータ室６１ｄと第１の後室６１ｅとの間に仕切板６３があり、仕切板６３に第１のＬＥＤ照明装置６４が複数個（図９、図１０では４個）固定されている。また、第１の後室６１ｅに第１の吹出口６５が配置され、その第１の吹出口６５が、通気性および透光性の良好な布製のカバー６１ｍで開閉自在に覆われている。
【００３２】
第２のユニット６１Ｂは第１のユニット６１Ａに隣接して設けられており、前室６１ｆと第２の後室６１ｇとを有している。前室６１ｆと第２の後室６１ｇとの間にＨＥＰＡフィルタ２が備えられている。外気ａ１が前室６１ｆからＨＥＰＡフィルタ２を通過すると清浄空気ｂ1となって第２の後室６１ｇに導入される。また、第２の後室６１ｇの第２の吹出口６９の近傍に、平坦なパンチングボード６６と、エアーガイド６８とが備えられ、パンチングボード６６に第２のＬＥＤ照明装置６７が複数個（図９、図１０では４個）固定されている。エアーガイド６８はパンチングボード６６に固定され、第２の後室６１ｇから第１の吹出口６５から向かう方向に傾斜している。さらに、第２の後室６１ｇに第２の吹出口６９が配置され、その第２の吹出口６９は通気性および透光性の良好な布製のカバー６１ｎで開閉自在に覆われている。
【００３３】
そして、清浄空気ｂ1は、パンチングボード６６を通過して第２の吹出口６９から吹き出される。そのうえ、エアーガイド６８が第２の後室６１ｇから第１の吹出口６５から向かう方向に傾斜しているため、清浄空気ｂ1の一部が第２の後室６１ｇから第１の後室６１ｅに流れ込み、第１の吹出口６５からも吹き出す。
【００３４】
一方、空調機システム１は、図１０に示すように、４台の空気調和機６１によって構成されている。空調機システム１では、空気調和機６１が天井１４の裏に４台埋設され、それぞれの空気調和機６１が、異なる４方向から外気ａ１が導入されるように配置されている。
【００３５】
以上の手術室システム１００では、レールシステム２２のレールユニット４０がエアスタビライザパネル４１を有し、レールユニット４０と柱部材２１が空気調和機６１（空調機システム１）を取り囲んでいる。そのため、清浄空気ｂ1がレールユニット４０と柱部材２１の外に漏れ出すことがない。
【００３６】
そして、図１に示すように、清浄空気ｂ1は、レールシステム２２の内側を層流を保ったまま吹き下ろして術野を包み込む。これにより、手術台１９が清浄空気ｂ1によって包み込まれる。また、排気７が手術室１１の吸引口３（吸引口３には、塵や埃を捕える図示しないフィルタが設置されている）に向かう流れが形成される。また、排気７は吸引口３から吸い込まれた後、内壁１２に形成されている吸引パネル５を通り、エア分岐ボックス３ａに到達する。エア分岐ボックス３ａは、天井１４の裏に配置されていて、エア配管４を介して、４台の空気調和機６１にそれぞれ接続されている。そのため、排気７はエア配管４を介して、４台の空気調和機６１にそれぞれ到達すると、前述した外気ａ１となって空気調和機６１に導入され、熱交換機ユニット６１ｈによる熱交換の後、ファンモータ６２に導かれる。各空気調和機６１の熱交換ユニット６１ｈが手術室１１の外に設置された室外機３１に接続されている。以上のようにして、空調機システム１の動力によって、手術室１１内に清浄空気ｂ1が循環する環境が形成されている。
【００３７】
また、エネルギー供給装置２３、シーリングペンダント１５などは、レールシステム２２を構成しているレールユニット４０のスライド部材５２に固定されていることによって、レール可動式となっている。すなわち、スライド部材５２がガイドレール５１に沿ってスライド移動することにより、エネルギー供給装置２３、シーリングペンダント１５等も、レールユニット４０に沿って、柱部材２１と柱部材２１の間を床面１３に平行な方向にスライド移動する。そのため、エネルギー供給装置２３には、手術室内で使用されるＭＥ設備１７を作動させるための電源コンセント９や医療ガスのアウトレット１０が備えられているため、これらを自由に移動させることができる。
【００３８】
エネルギー供給装置２３がレールユニット４０のスライド部材５２に固定されたことによって、医療設備の配線や配管をレールユニット４０から確保することができる。そのため、手術室システム１００では、医療設備の配線や配管が床面１３上を這うことがなくなる。そのため、手術台１９の周辺で作業する医療スタッフが配線や配管を気にする必要が無くなり、医療設備や医療スタッフの移動、清掃作業を妨げるものが無くなる。これにより、手術台１９の周辺で作業する医師や医療スタッフの作業効率が向上し、手術室の機能および効率が向上する。
【００３９】
しかも、エネルギー供給装置２３がレール可動式となっている。そのため、手術室システム１００が手術室１１に設けられた後、手術室１１内の医療設備や医療スタッフの配置を変更する必要等が生じた場合でも、その変更後の状況に応じて、エネルギー供給装置２３をレールユニット４０に沿ってスライドさせることができる。すると、電源コードや医療ガスの配管を伸ばしたり、引き回す必要がなくなるため、手術室１１内の状況の変化に伴う煩雑さがなくなる。したがって、手術室システム１００によって、作業の効率性が高くて汎用性も高い手術室環境が形成される。また、ＭＥ設備１７やモニタ１６がより広い範囲で使用可能となる。
【００４０】
さらに、空気調和機６１において、第１、第２の２つのユニット６１Ａ、６１Ｂの双方の第１、第２の吹出口６５、６９に複数のＬＥＤ照明装置６４、６７が組み込まれている。これにより、空気調和機６１の天井１４に配置されるほぼ全体にＬＥＤ照明装置６４、６７が配置されることになる。そのため、手術台１９の上方の空気調和機６１だけで、手術台１９で必要とされる照度の照明を容易に確保することができる。
【００４１】
また、空気調和機６１には、エアーガイド６８が備えられている。そのため、清浄空気ｂ1が、ＨＥＰＡフィルタ２が備えられている第２のユニット６１Ｂだけでなく、ＨＥＰＡフィルタ２が備えられていない第１のユニット６１Ａからも吹き出される。そのため、従来よりも、清浄空気ｂ1の吹き出しエリアが大幅に拡大されており、従来よりも、より清浄度の高い手術室環境が形成される。
【００４２】
その一方、従来の手術室システムでは、清浄度の高い手術室環境を維持するためには、清浄空気の吹き出し量を増やす必要があり、それによって対流空気が発生して、塵や埃が上方へ巻き上げられ、これによって清浄度の高い手術室空間を維持することが困難であった。
【００４３】
しかしながら、本願発明に係る手術室システム１００では、清浄空気ｂ1がレールユニット４０と柱部材２１の外に漏れ出ないため、清浄空気ｂ１の吹き出し量を増やす必要がない。これにより、対流空気の発生が抑制される。したがって、本願発明に係る手術室システム１００では、従来よりも、より清浄度の高い手術室環境が形成される。また、空気調和機６１からの騒音低減も可能となる。
【００４４】
（変形例）
図１１は、変形例に係るレールパッケージ７２の図６に対応した断面図である。レールパッケージ７２は、レールパッケージ４２と比較して、レールカバー７０を有する点、２つのガイドレール７１ａ，７１ｂを有する点、２つのスライド部材７２ａ，７２ｂを有する点で相違している。
【００４５】
レールカバー７０は、レールカバー５０と比較して、垂直側面７０ｂ、７０ｃの間隔が垂直側面５０ｂ、５０ｃよりも広い点、垂直側面７０ｂ、７０ｃの双方にそれぞれガイドレール７１ａ，７１ｂが向かい合わせで固定されている点で相違している。
【００４６】
ガイドレール７１ａ，７１ｂは、ガイドレール５１と共通する部材であるが、そのそれぞれにスライド部材５２と同様のスライド部材７２ａ，７２ｂがスライド可能に装着されている。
【００４７】
レールパッケージ７２は、スライド部材７２ａ，７２ｂが装着されているため、一つの部材にスライド部材７２ａ，７２ｂを固定することができる。そのため、レールパッケージ７２は、レールパッケージ５２よりも重い部材を吊り下げることができ、かつスライドさせることができる。
【００４８】
また、前述したレールシステム２２は、空調機システム１を４方向から取り囲むように形成されていた。図１２（Ａ）に示すように、レールシステム２２は、空調機システム１を３方向から取り囲むＬ字パターンで形成されていてもよいし、図１２（Ｂ）に示すように、レールユニット４０が空調機システム１を挟んで対向するように配置された平行ラインパターンで形成されてもよい。
【産業上の利用可能性】
【００４９】
本発明を適用することにより、作業の効率性が高くて汎用性も高い手術室環境を形成することができる。本発明は、手術室システムおよびその手術室システムを構成する空気調和機の分野で利用することができる。
【符号の説明】
【００５０】
１…空調機システム、２…ＨＥＰＡフィルタ、９…電源コンセント、１０…アウトレット、１１…手術室、１３…床面、１４…天井、１５…シーリングペンダント、１６…モニタ、１７…ＭＥ設備、１９…手術台、２１…柱部材、２２…レールシステム、２３…エネルギー供給装置、４０…レールユニット、４１…エアスタビライザパネル、４２…レールパッケージ、４３…接続パネル、５０…レールカバー、５１…ガイドレール、５２…スライド部材、６１…空気調和機、６１Ａ…第１のユニット、６１Ｂ…第２のユニット、６４…第１のＬＥＤ照明装置、６５…第１の吹出口、６７…第２のＬＥＤ照明装置、６８…エアーガイド、６９…第２の吹出口。
【図１】
2020054607.tif 000003
【図２】
2020054607.tif 000004
【図３】
2020054607.tif 000005
【図４】
2020054607.tif 000006
【図５】
2020054607.tif 000007
【図６】
2020054607.tif 000008
【図７】
2020054607.tif 000009
【図８】
2020054607.tif 000010
【図９】
2020054607.tif 000011
【図１０】
2020054607.tif 000012
【図１１】
2020054607.tif 000013
【図１２】
2020054607.tif 000014